(57)【特許請求の範囲】
【請求項１】
トイレブースに設置されるトイレユニットであって、
前記トイレブースの第１の壁面から突出するようにして設けられた少なくとも前面と上面とが遮蔽された第１のライニングと、
前記第１のライニングの前方に設置された便器と、
前記トイレブースの前記第１の壁面と略直交する第２の壁面から突出するようにして設けられた第２のライニングであって、少なくとも前面と上面と底面とが遮蔽され車椅子のフットレスト部分が入る空間が前記底面と前記トイレブースの床面との間に形成された第２のライニングと、
前記第２のライニングの上面に設置された洗面器と、
前記第２のライニングと前記便器との間に設けられ、前記第２のライニングの前面と略平行な水平部を有する手すりと、
前記第１のライニングの前方に設置されたボウルと前記第１の壁面に設置された鏡とを有する汚物流しユニットと、
を備え、
前記第２のライニングの前記便器の側方の前面には、前記トイレユニットに備えられる装置、器具の操作並びに調整を行う操作部が水平方向に連設された操作手段を備え、前記操作手段は第２のライニングの上端近傍に設けられ、
前記手すりの水平部は前記操作手段の下方に配置され、且つ使用者がその手すりの水平部に手を置いた状態で前記操作手段の操作が可能な範囲に前記手すりの水平部は配置され、
前記ボウルの上面は、前記第１のライニングの前記上面と近接する高さの位置にあり、
前記鏡の下端は、前記第１のライニングの前記上面と近接する高さの位置にあり、
前記第１のライニングの前記前面と前記ボウルの前端との間の距離は、前記第１のライニングの前記前面と前記便器の前端との間の距離よりも短いことを特徴とする多目的トイレユニット。
【請求項２】
前記便器の着座部分と、前記第１のライニングの上面との高さの差が、３００ｍｍ以上、４００ｍｍ以下であることを特徴とする請求項１記載の多目的トイレユニット。
【請求項３】
前記便器に着座した人が前記第１のライニングの方向に向けてのけぞった場合には、前記第１のライニングの上面の上方であって、前記第１のライニングの前面と前記第１の壁面との間に形成された空間に、前記着座した人の少なくとも肩甲骨より上の部位が侵入可能とされていること、を特徴とする請求項１または２に記載の多目的トイレユニット。
【請求項４】
車椅子使用者が前記便器に着座をするために、車椅子から便器へと移動をする場合には、前記第１のライニングの上面の上方であって、前記第１のライニングの前面と前記第１の壁面との間に形成された空間に、前記移動をする人の少なくとも頭部が侵入可能とされていること、を特徴とする請求項１または２に記載の多目的トイレユニット。
【請求項５】
前記第１のライニングの前記上面の高さは、床から７００ｍｍ以上、８００ｍｍ以下であること、を特徴とする請求項１〜３のいずれか１つに記載の多目的トイレユニット。
【請求項６】
前記空間の高さ寸法は、３００ｍｍ以上であること、を特徴とする請求項３または４に記載の多目的トイレユニット。
【請求項７】
前記手すりの前記水平部の中心は、前記第２のライニングの前記上面から下方に１５０ｍｍの範囲以内に設けられていること、を特徴とする請求項１〜６のいずれか１つに記載の多目的トイレユニット。
【請求項８】
前記第２のライニングの上面であって、前記便器の側方上方に設けられた手洗い器をさらに備え、
前記手洗い器は、前記第２のライニングの前記上面方向および前記前面方向に開口を有すること、を特徴とする請求項１〜７のいずれか１つに記載の多目的トイレユニット。
【請求項９】
前記手洗い器は水栓を備え、
前記水栓は、前記手洗い器の内壁面に設けられていること、を特徴とする請求項８記載の多目的トイレユニット。
【請求項１０】
前記第１のライニングの前面の前記便器を挟んで前記第２のライニングと対向する側に設けられた跳ね上げ手すりをさらに備え、
前記ボウルが、前記第１のライニングの前面であって前記跳ね上げ手すりを挟んで前記第２のライニングと対向する側に設けられていること、を特徴とする請求項１〜９のいずれか１つに記載の多目的トイレユニット。
【発明の詳細な説明】
【技術分野】
【０００１】
本発明は、主として車椅子使用者などが利用するのに適した多目的トイレユニットに関する。
【背景技術】
【０００２】
下肢に麻痺などを有する人が利用する多目的トイレユニットは、車椅子で出入りすることができ、また、車椅子が多目的トイレユニットの内部で旋回できる必要がある。そして、配設された便器、手洗い器、手すり、洗面器などへのアプローチを容易に行い得るように構成する必要がある。
【０００３】
そのため、車椅子使用者などが利用するのに際して、使い勝手に優れたトイレユニットが提案されている（特許文献１を参照）。
また、人工肛門や人工膀胱などの保持者であるオストメイトと呼ばれる人々は、身体の腹部に排泄物（以下、汚物という）を溜めておくための袋、いわゆるパウチを装着しており、時折、トイレにおいて溜まった汚物を廃棄したり、パウチの内面、ストーマ（腹部に造設された排泄口）、ストーマ付近の腹部などに付着した汚物を洗い流すなどの作業を行う必要がある。
【０００４】
近年、オストメイトが外出先で気兼ねをすることなくこれらの作業を行うことのできる施設が、車椅子使用者などが利用をする多目的トイレにも備えられるようになってきている。    
そのため、多目的トイレにも、便器とは別に専用の汚物流しユニットが設けられるようになってきており、この汚物流しユニットには、ボウルを設置するためのキャビネット、ボウルの上方に設けられたシャワーユニットを有する水栓、ボウルに投入された汚物を排出させるためのフラッシュバルブ、液体石鹸供給器などが備えられている（特許文献２を参照）。
【０００５】
ここで、特許文献１に開示された技術においては、便器の背後に背の高い配管ユニットケースが配設されており、この配管ユニットケースが邪魔になって、便器へのアプローチなどが容易に行えないおそれがあった。また、手洗い器、手すり、操作ボタン、洗面器なども背の高い配管ユニットケースに配設されており、これらへのアプローチも容易に行えないおそれがあった。
また、特許文献２に開示された技術においても、背の高いキャビネットが配設されており、これの上面を物の置き場に利用するものとすれば、オストメイトが廃棄・洗浄作業をする位置から手が届かなくなるおそれがあった。
【０００６】
また、ボウルの上方に水栓などを設けるようにすれば、目の位置と、廃棄・洗浄作業をする位置との間に水栓などが介在することになる。そのため、水栓などにより視線が遮られて作業の視認性が損なわれる場合もあった。
【特許文献１】特開平６−１０８６７７号公報
【特許文献２】特開２００４−２８３３９４号公報
【発明の開示】
【発明が解決しようとする課題】
【０００７】
本発明は、車椅子使用者やオストメイトなどにとっても使い勝手のよい多目的トイレユニットを提供する。
【課題を解決するための手段】
【０００８】
本発明の一態様によれば、トイレブースに設置されるトイレユニットであって、前記トイレブースの第１の壁面から突出するようにして設けられた少なくとも前面と上面とが遮蔽された第１のライニングと、前記第１のライニングの前方に設置された便器と、前記トイレブースの前記第１の壁面と略直交する第２の壁面から突出するようにして設けられた第２のライニングであって、少なくとも前面と上面と底面とが遮蔽され車椅子のフットレスト部分が入る空間が前記底面と前記トイレブースの床面との間に形成された第２のライニングと、前記第２のライニングの上面に設置された洗面器と、前記第２のライニングと前記便器との間に設けられ、前記第２のライニングの前面と略平行な水平部を有する手すりと、前記第１のライニングの前方に設置されたボウルと前記第１の壁面に設置された鏡とを有する汚物流しユニットと、を備え、前記第２のライニングの前記便器の側方の前面には、前記トイレユニットに備えられる装置、器具の操作並びに調整を行う操作部が水平方向に連設された操作手段を備え、前記操作手段は第２のライニングの上端近傍に設けられ、前記手すりの水平部は前記操作手段の下方に配置され、且つ使用者がその手すりの水平部に手を置いた状態で前記操作手段の操作が可能な範囲に前記手すりの水平部は配置され、前記ボウルの上面は、前記第１のライニングの前記上面と近接する高さの位置にあり、前記鏡の下端は、前記第１のライニングの前記上面と近接する高さの位置にあり、前記第１のライニングの前記前面と前記ボウルの前端との間の距離は、前記第１のライニングの前記前面と前記便器の前端との間の距離よりも短いことを特徴とする多目的トイレユニットが提供される。
【発明の効果】
【００１０】
本発明によれば、車椅子使用者やオストメイトなどにとっても使い勝手のよい多目的トイレユニットが提供される。
【発明を実施するための最良の形態】
【００１１】
以下、図面を参照しつつ、本発明の実施の形態について説明をする。    
図１は、本発明の実施の形態に係る多目的トイレユニットを例示するための模式斜視図である。      
図１に示すように、多目的トイレユニット１には、多目的トイレユニット１が備えられるトイレブースなどの壁面から突出するようにして設けられた第１のライニング６、第１のライニング６の前面に設置された便器２、便器２の上方であって第１のライニング６の上端部付近に設けられた背もたれ３、便器２の右側上方であって第１のライニング６の前面に設けられた跳ね上げ手すり４、第１のライニング６が設けられたトイレブースの壁面と略直行する壁面から突出するようにして設けられたライニング５、便器２の左側上方であって第２のライニング５の上面に設けられた手洗い器７、一端が第２のライニング５の前面に設けられ他端がトイレブースなどの壁面に設けられた固定手すり８、固定手すり８の水平部８ａの下方であって第２のライニング５の前面に設けられたトイレットペーパーホルダー９、固定手すり８の水平部８ａの上方であって第２のライニング５の前面の上端近傍に設けられた操作手段１０、便器２の前方であって第２のライニング５の上面に設けられた洗面器１１、洗面器１１の上方であってトイレブースなどの壁面に設けられた鏡１３、跳ね上げ手すり４の右側であって第１のライニング６の前面に設けられた汚物流しユニット１４のボウル３０、ボウル３０の上方であってライニング６の上面に設けられるキャビネット３４、キャビネット３４の前面に設けられた鏡３５などが備えられている。  
また、便器２の対角位置（便器２から最も遠い位置）には、多目的トイレユニット１の出入り口１ａが設けられている。
【００１２】
図２は、便器２を例示するための模式断面図である。    
便器２は、いわゆる「壁掛け式」の水洗便器であり、第１のライニング６の前面に設けられている。
【００１３】
便器２は、例えば、陶器、合成樹脂、合成樹脂にセラミック材、陶器粉を混入させたものなどからなるものとすることができる。      
図２に示すように、便器２の給水口２０には、ライニング６の内部に隠蔽される導水部２１が接続されている。また、導水部２１の上方にはフラッシュバルブ２２が設けられ、フラッシュバルブ２２を介して図示しない給水源と導水部２１とが接続されている。
【００１４】
便器２の開口縁部にはリム２３が設けられ、リム２３の内部にはリム通水路２３ｂが設けられている。また、リム２３は便器２の内部に向けて張り出すようにして設けられ、リム２３の下面にはリム通水路２３ｂに連通する複数の吐水口２３ａが設けられている。
【００１５】
そのため、フラッシュバルブ２２を操作することにより、水タンクなどの給水源から水道水などの水がリム通水路２３ｂに供給され、吐水口２３ａから便器２の内部に向けて吐水されるようになっている。
【００１６】
便器２の排水口２ａには、排水管２４が接続されており、便器２の内部に吐水された水を汚物とともに外部（例えば、下水管など）に排出できるようになっている。また、便器２の下部には封水部２５が設けられている。そのため、便器２の内部と排水管２４とを封水部２５を介して連通させることで、悪臭の発生を抑制しつつ汚物の排出ができるようになっている。
【００１７】
また、便器２には、開閉自在の便座２ｂが設けられている。そして、これらの他にも、いわゆる「衛生洗浄装置」などを適宜設けるようにすることができる。尚、便器２の開口部分を覆うような位置に便座２ｂがあるとき（便座２ｂが閉じているとき）には、便座２ｂの上面が便器２の着座部分となる。
【００１８】
尚、説明の便宜上、便器２を「壁掛け式」の水洗便器としたが、トイレブースの床面などに設けられる「床置き式」の水洗便器とすることもできる。そのため、便器２は、ライニング６の「前方」に設けるようにすればよい。この場合、「前方」には、図１に示したようなライニング６の前面に当接させるようにして設けたもののみならず、スペースを有して便器２とライニング６とを近接させて設けるようにしたものをも含む。
【００１９】
ライニング６の下方に設けられた固定部材２６は、下端面側を図示しない固定ボルトなどでトイレブースなどの床面に固着されている。そして、トイレブースなどの床面と略垂直となる面には、第１のライニング６の前面板を介して、便器２が図示しない固定ボルトなどで固着されている。
便器２の上方であって第１のライニング６の上端部付近には、背もたれ３が設けられている。そのため、使用者が便器２に座ったときには、背もたれ３に背中をもたせることができるので、楽な状態で便器２を使用することができる。また、背もたれ３は、クッション性を持たせるために軟質材料などからなるものとすることができる。尚、背もたれ３は必ずしも必要ではなく省くこともできる。ただし、背もたれ３を設けるものとすれば、着座時に背中をもたせるのみならず、後述する「馬乗り」動作の際にも利用することができる。
【００２０】
図３は、跳ね上げ手すり４を例示するための一部切欠模式断面図である。      
跳ね上げ手すり４は、第１のライニング６の前面板に跳ね上げ手すり４を固着するための取付板４ａ、ステンレス製のＵ字管を樹脂で被覆した樹脂被覆管４ｂ、取付板４ａに設けられ樹脂被覆管４ｂを回動自在に保持する跳ね上げユニット４ｃ、跳ね上げユニット４ｃに内蔵され樹脂被覆管４ｂを上方に向かって付勢する図示しない付勢手段、樹脂被覆管４ｂを回動させる場合に回動端における衝撃を吸収するための緩衝部材４ｄ、４ｅなどを備えている。尚、樹脂被覆管４ｂは樹脂で被覆がされていないステンレス製のＵ字管とすることもできる。
【００２１】
跳ね上げ手すり４を図中上方に持ち上げるようにして跳ね上げれば、樹脂被覆管４ｂは跳ね上げユニット４ｃを回転中心として上方に回動する。このとき、樹脂被覆管４ｂの一端は緩衝部材４ｅから離隔する。
【００２２】
また、所望の位置で跳ね上げ手すり４を離した場合には、跳ね上げユニット４ｃに内蔵されている図示しない付勢手段により、跳ね上げ手すり４は所望の位置で保持されるようになっている。そして、回動の上方の回動端においては、Ｕ字管部分が緩衝部材４ｄと当接する。また、跳ね上げ手すり４を図中下方に回動させれば、下方の回動端において樹脂被覆管４ｂの一端が緩衝部材４ｅと当接する。また、回動端においては、樹脂被覆管４ｂと緩衝部材４ｄ、４ｅとが当接することで回動による衝撃が吸収されるようになっている。
尚、手すりは便器２の側面側であって、着座部分より上方に設けられていればよい。ただし、樹脂被覆管４ｂの上側パイプの高さを後述する固定手すり８の水平部８ａと同じ高さ（中心位置が床面から６５０ｍｍ程度）とすることが好ましい。そのようにすれば、固定手すり８の水平部８ａとともに、さらに容易に体を支えることができる。
【００２３】
また、跳ね上げ手すり４をスイング式（水平方向に回動するタイプ）、固定式の手すりとすることもできる。ただし、多目的トイレユニット１の内部スペースの有効活用の観点からは、跳ね上げ式とすることが好ましい。また、便器の両側面に手すりが設けられているようにすれば（例えば、跳ね上げ手すり４と固定手すり８）、車椅子から便器への移動の際の姿勢の安定性を大幅に向上させることができる。この場合、少なくともいずれか一方は跳ね上げ手すりとすることが好ましい。
【００２４】
図４は、手洗い器７を例示するための模式斜視図である。      
手洗い器７は、第２のライニング５の上面に埋め込むようにして設けられている。手洗い器７は、平面視が矩形をなし、下部に設けられているボウル部７ａは漏斗状を呈している。そして、ボウル部７ａの最も低い部分に排水口７ｂが設けられ、排水口７ｂには図示しない排水トラップを介して、これも図示しない排水管が接続されている。
【００２５】
また、ボウル部７ａの開口縁部にはリム部７ｃが形成され、手洗い器７の背面側の面、および左右の側の面は、上方に延長されて垂直な起立壁としての壁部７ｄ、壁部７ｅを一体に形成している。そして、この壁部７ｄ、壁部７ｅが手洗い器７の水跳ね防止壁を形成する。そのため、ライニング５の上面方向および前面方向に大きな開口を有することになる。
【００２６】
壁部７ｄの上部には、水栓７ｆが手洗い器７の内部方向に向かって突出するようにして設けられている。尚、水栓７ｆは、手洗い器７の内壁面に設けられていればよく、壁部７ｅから手洗い器７の内部方向に向かって突出するようにして設けられていてもよい。
【００２７】
水栓７ｆの先端部には、下方に向かって吐水をすることができる吐水口７ｇが設けられている。また、水栓７ｆは、第２のライニング５の内部に隠蔽されている図示しない給水源と接続されている。
【００２８】
水栓７ｆは、いわゆるスイッチ水栓とすることができる。そのため、水栓７ｆのヘッド部（先端部）を押すことで吐水をさせることができ、再度ヘッド部を押すことで吐水を停止させることができる。そして、手洗い器７の内側に吐水された水道水などの水は、ボウル部７ａに設けられた排水口７ｂより外部に向けて排出される。    
尚、吐水の形態は、例えば、シャワー状の吐水などとすることができるが、これに限定されるわけではなく、適宜変更することができる。また、水石鹸を吐出させる液体石鹸供給器などを設けるようにすることもできる。
【００２９】
本実施の形態における手洗い器７は、手洗い器７の上面側のみならず、前面側にも大きな開口を有している。そのため、便座２ｂに着座しているときのような低い姿勢からでも、手洗い器７の内部に容易に手先を挿入することができる。また、手先を挿入する前面と上面以外は、高い起立壁としての壁部７ｄ、壁部７ｅで囲まれており、水栓７ｆも手洗い器７の内側に設けられているので、例えば、荷物を置くのに利用をするライニング５の上面が濡れることを抑制することができる。
【００３０】
また、手洗い器７は、ライニング５の上面に埋め込むようにして設けられている。そして、後述するように、ライニング５の上面の高さも便器２に着座しているときの低い姿勢が考慮されている。そのため、設置位置が高くなることを抑制することができ、手洗い器７の内部に容易に手先などを挿入することができる。また、ライニング５の上面との一体感を増して煩雑感を低減させることもできる。
【００３１】
図１に示すように、固定手すり８は、断面が円形のパイプ状部材とすることができる。固定手すり８には、便器２の左側の上方に略水平に設けられた水平部８ａと、水平部８ａと連接し便器２の前方で略垂直方向に立ち上がる垂直部８ｂと、垂直部８ｂと連接しトイレブースなどの壁面に向かって延在する固定部８ｃと、が設けられている。そして、水平部８ａの一端が第２のライニング５の前面に固着され、固定部８ｃの一端がトイレブースなどの壁面に固着されている。
【００３２】
また、水平部８ａは、その中心位置が床面から６５０ｍｍ程度の高さに設置され、便座２ｂに着座した姿勢で体を支えるのに適した高さとなっている。そのため、水平部８ａを握ったり、水平部８ａの上に手や腕を載置したりすることで、容易に体を支えることができる。そして、便器２から離反する場合においては、垂直部８ｂを握ることで容易に体を起こし立ち上がることができるようになっている。      
尚、固定手すり８を可動式（例えば、跳ね上げ式）のものに置き換えることもできる。ただし、スペース効率、生産コストなどの観点からは、壁面側（ライニング５側）の手すりは固定式とすることが好ましい。
【００３３】
トイレットペーパーホルダー９は、便器２の前方であって、水平部８ａの下方に設けられている。そのため、便座２ｂに着座した状態でトイレットペーパーを取り出すことができ、かつ、水平部８ａを握るなどする場合に邪魔にならないようになっている。
【００３４】
図５は、操作手段１０、非常呼び出し手段１０ａを例示するための模式図である。  
また、図５（ａ）は操作手段１０、非常呼び出し手段１０ａの配設を例示するための模式図であり、図５（ｂ）は、操作手段１０、非常呼び出し手段１０ａを例示するための模式図、図５（ｃ）は、図５（ａ）におけるＡ−Ａ矢視断面図である。尚、前述のものと同様の部分には同じ符号を付し、その説明は省略する。
【００３５】
図５（ａ）に示すように、操作手段１０は、便器２の側方であって、ライニング５の上端近傍に設けられている。また、操作手段１０の下方には固定手すり８の水平部８ａが配設されている。
【００３６】
図５（ｂ）に示すように、操作手段１０には各種の操作を行うための操作部を設けるようにすることができる。    
具体的には、いわゆる「衛生洗浄装置」の各動作の指令（例えば、局部洗浄の開始またはその停止、温風の送風またはその停止、洗浄位置の調整、吐水強さの調整）をするためのスイッチや、局所照明のＯＮ／ＯＦＦをするためのスイッチ、暖房のＯＮ／ＯＦＦをするためのスイッチなどを例示することができる。ただし、これらに限定されるわけではなく、多目的トイレユニット１に備えられる各種の装置、器具などの操作や調整を行うためのスイッチを適宜設けるようにすることができる。
【００３８】
また、操作手段１０とともに、または、操作手段１０に代えて、非常呼び出し手段（スイッチ）１０ａを設けるようにすることもできる。尚、操作手段１０と非常呼び出し手段１０ａとを一体化させることもできる。
【００３９】
また、各種の操作を行うための操作部は、水平方向（横方向）に並ぶようにして連設されており、非常呼び出し手段１０ａも操作手段１０と水平方向（横方向）に並ぶようにして設けられている。尚、図５に示したものでは、操作手段１０の右側に非常呼び出し手段１０ａを設けるようにしているが、操作手段１０の左側に設けるようにすることもできる。
【００４０】
本実施の形態においては、固定手すり８の水平部８ａの上方に操作手段１０や非常呼び出し手段１０ａを設けるようにしているので、例えば、使用者がリウマチなどにより、指による操作が困難な場合であっても、水平部８ａの上面に手や腕を置くことで不随意運動を抑えて、拳、指の関節部分、手の甲などによる操作が可能となる。
また、操作手段１０や非常呼び出し手段１０ａは、ライニング５の上端近傍に設けられているので、例えば、使用者が手に麻痺を有する者であっても、カウンタ５の上面に手や腕を置くことでこれらを支え不随意運動を抑えて、手首を回転させることで操作をすることが可能となる。
また、各種の操作を行うための操作部は、横方向（水平方向）に並べられ、非常呼び出し手段１０ａも操作手段１０の横に設けられているので、水平部８ａやライニング５の上面に置いた手や腕をこれらに沿わせるようにして横方向に移動するだけで各種の操作を容易にすることができる。
【００４１】
ここで、操作手段１０や非常呼び出し手段１０ａの操作性を向上させるためには、ライニング５の上面や水平部８ａから操作手段１０や非常呼び出し手段１０ａの操作面までの鉛直方向（高さ方向）寸法、水平部８ａから操作手段１０や非常呼び出し手段１０ａの操作面までの水平方向の寸法が重要となる。
【００４２】
本発明者は検討の結果、図５（ｃ）に示すように、ライニング５の上面から水平部８ａの中心までの寸法Ｈを１５０ｍｍ以下とし、この範囲以内に操作手段１０や非常呼び出し手段１０ａを設けるようにすれば、これらの操作性を向上させることができるとの知見を得た。
【００４３】
また、水平部８ａから操作手段１０や非常呼び出し手段１０ａの操作面までの水平方向の寸法Ｌを４０ｍｍ以上、１５０ｍｍ以下とすれば、水平部８ａ側からの操作性を向上させることができるとの知見をも得た。この場合、寸法Ｌを４０ｍｍ以上、７０ｍｍ以下とすれば、水平部８ａを握りながら指などで操作手段１０や非常呼び出し手段１０ａの操作をするのに好適である。また、寸法Ｌを７０ｍｍ以上、１５０ｍｍ以下とすれば、水平部８ａの上面に手や腕を置いて、拳、指の関節部分、手の甲などで操作手段１０や非常呼び出し手段１０ａの操作をするのに好適である。
洗面器１１は、便器２の前方であって第２のライニング５の上面に埋め込むようにして設けられている。洗面器１１は、平面視が矩形をなし、下部に設けられているボウル部１１ａは漏斗状を呈している。そして、ボウル部１１ａの最も低い部分には図示しない排水口が設けられ、図示しない排水口にはこれも図示しない排水トラップを介して排水管が接続されている。
【００４４】
また、ボウル部１１ａの開口縁部にはリム部１１ｃが形成され、洗面器１１の背面側の面は、上方に延長されて垂直な起立壁としての壁部１１ｄを一体に形成している。
【００４５】
壁部１１ｄの上部には、水栓１２が洗面器１１の内部方向に向かって突出するようにして設けられている。
【００４６】
水栓１２の先端部には、下方に向かって吐水をすることができる図示しない吐水口が設けられている。また、水栓１２は、第２のライニング５の内部に隠蔽されている図示しない給水源と接続されている。
【００４７】
水栓１２は、いわゆるスイッチ水栓とすることができる。そのため、水栓１２のヘッド部（先端部）を押すことで吐水をさせることができ、再度ヘッド部を押すことで吐水を停止させることができる。そして、洗面器１１の内側に吐水された水道水などの水は、ボウル部１１ａに設けられた図示しない排水口より外部に向けて排出される。
【００４８】
また、水栓１２を複数設けて、一部を温水用の水栓とすることもできるし、水栓１２を湯水混合水栓とすることもできる。    
また、吐水の形態は、例えば、シャワー状の吐水などとすることができるが、これに限定されるわけではなく、適宜変更することができる。また、水石鹸を吐出させる液体石鹸供給器などを設けるようにすることもできる。
【００４９】
本実施の形態における洗面器１１は、ライニング５の上面に埋め込むようにして設けられている。また、後述するように、ライニング５の上面の高さも便器２に着座しているときの低い姿勢が考慮されている。そのため、設置位置が高くなることを抑制することができ、車椅子に乗車しているときのような低い姿勢からでも、洗面器１１の内部に容易に手などを挿入することができる。また、ライニング５の上面との一体感を増して煩雑感を低減させることもできる。
【００５０】
洗面器１１の上方であってトイレブースなどの壁面には鏡１３も設けられている。尚、鏡１３は必ずしも必要ではなく、必要に応じて適宜設けるようにすることができる。
【００５１】
跳ね上げ手すり４の右側には、主にオストメイトが使用する汚物流しユニット１４が備えられている。      
汚物流しユニット１４には、ライニング６の前面に設置されたボウル３０、ボウル３０の上部開口付近の内壁に設けられた水栓３１、液体石鹸供給器３２、フラッシュバルブの操作部３３、ボウル３０の上方であってライニング６の上面に設けられたキャビネット３４、キャビネット３４の前面に設けられた鏡３５などが備えられている。
図６は、ボウル３０を例示するための模式図であり、図６（ａ）は模式平面図、図６（ｂ）は模式正面図である。      
また、図７は、ボウルの設置を例示するための模式断面図である。    
ボウル３０は、例えば、陶器、合成樹脂、合成樹脂にセラミック材、陶器粉を混入させたものなどからなるものとすることができる。
【００５２】
図６、図７に示すように、ボウル３０は、汚物の洗浄や投入がしやすいように上面が大きく開口され、前面１１０にはリップ部１０８が設けられている。リップ部１０８は、背の高いオストメイトであってもこのリップ部１０８に腹部を押し当てて容易に汚物の処理ができるような形状となっている。すなわち、オストメイトが前かがみになり腹部をリップ部１０８に押し当てた状態で汚物を処理している最中に汚物が漏出しても汚物がボウル３０の中に自然に入っていくように、ボウル３０の外側に向けて凸状に湾曲した形状となっている。
【００５３】
また、リップ部１０８は、ボウル３０の溢れ面を形成している。ここでいう溢れ面とは、ボウル３０の排水部１０９が詰まった時などに、ボウル３０の外に汚水が流れ出す面のことである。このような溢れ面が形成されていると、排水部１０９が詰まるという異常事態が起きても、汚水は溢れ面から外に流れ出すので、他の部分が汚れることを抑制することができる。本実施の形態においては、図７に示すように、ボウル３０の上面形状が前面１１０の方向（オストメイトが作業する側）に向けて下方傾斜をしているため前面１１０の側にあるリップ部１０８の高さが上面では一番低くなり、リップ部１０８が溢れ面となる。そのため、排水部１０９が詰まるという異常事態が起きても、汚水がライニング６の側に流れ出ることがなく、ライニング６やトイレブースの壁面などが汚れるのを抑制することができる。
【００５４】
また、ボウル３０の前面１１０（オストメイトが作業する側の面）は、下方になるに従いボウル３０の背面側（前面１１０と対向する側の面）に近づくような方向に傾斜をしている。そのため、図７に示すように、ボウル３０の下部に空間１１１が形成されるようになる。そして、この空間１１１に膝などを入れることで、オストメイトが前かがみになり腹部をリップ部１０８に押し当てた状態で汚物の廃棄や洗浄などの作業をすることが容易となる。
また、ボウル３０の側面１１２ａ、側面１１２ｂはボウル３０の軸線に略平行な平面となっている。そのため、側面１１２ａ、側面１１２ｂを膝などで抱きかかえるようにして挟むこともできる。そして、側面１１２ａ、側面１１２ｂを膝などで挟むことができれば、オストメイトが前かがみになり腹部をリップ部１０８に押し当てた状態で汚物の廃棄や洗浄などの作業をする際の作業の安定性を向上させることができる。
【００５５】
図７に示すように、ボウル３０の下部には封水部１１３が設けられている。そして、ボウル３０の内部と排水部１０９とを封水部１１３を介して連通させることで、悪臭の発生を抑制しつつ汚物の排出ができるようになっている。尚、排水部１０９は図示しない排水管と接続されており、汚物が外部（例えば、下水管など）に排出できるようになっている。
ボウル３０の前面１１０と対向する側の面には、開口縁部に連接する傾斜面１１５が設けられている。また、傾斜面１１５には、水栓３１、液体石鹸供給器３２、フラッシュバルブの操作部３３などを取り付けるための孔１１４が設けられている。そして、孔１１４に取り付けられた水栓３１、液体石鹸供給器３２、フラッシュバルブの操作部３３などの上端部分が、オストメイトが作業する側（前面１０の側）の上方に向けて突出するようになっている。そのため、水栓３１などを操作する際の作業性を向上させることができる。また、水栓３１、液体石鹸供給器３２などの吐水口をボウル３０の内部に位置するようにすることができるので、オストメイトが汚物の廃棄や洗浄などの作業を行う際に汚物がボウル３０の外部に飛び散ることを抑制することができる。
【００５６】
尚、傾斜面１１５は必ずしも必要ではなく、水栓３１などをボウルの上部開口付近の内壁（例えば、略垂直な内壁）に備えるようにすることもできる。ただし、傾斜面１１５を設けて、そこに水栓３１などを備えるものとすれば、前述したように水栓３１などを操作する際の作業性を向上させることができる。
【００５７】
また、液体石鹸供給器３２、フラッシュバルブの操作部３３は、必ずしも傾斜面１１５に備えられている必要はない。例えば、ボウル３０の上方のキャビネット３４やライニング６などに備えるようにすることもできる。ただし、これらを傾斜面１１５に備えるようにすれば、移動を伴わずともこれらのものに手が届くので、オストメイトにとって使い易いシステムとすることができる。
【００５８】
本実施の形態においては、このようにボウル３０の背面側の上部開口付近の内壁に水栓３１などの装置を備えるようにしているため、オストメイトが行う汚物の廃棄や洗浄などの作業の高さ方向位置と水栓３１などの装置の高さ方向位置とを近接させることができる。すなわち、作業位置と作業に用いられる水栓３１などの位置とを同一平面に近い状態とすることができる。そのため、オストメイトの目の位置と、廃棄・洗浄作業をする位置との間に水栓３１などが介在することを極力抑制することができる。その結果、オストメイトの視線が遮られないので作業の視認性を大幅に向上させることができる。また、作業位置と作業に用いられる水栓３１などの位置とが同一平面に近い状態にあるので、水栓３１などの装置同士の間の隙間（例えば、水栓３１と液体石鹸供給器３２との間の隙間、水栓３１とフラッシュバルブの操作部３３との間の隙間）を通して作業を視認することも容易となる。
【００５９】
また、水栓３１、液体石鹸供給器３２、フラッシュバルブの操作部３３などの装置をボウル３０に直接設けるようにしているため、汚物流しユニット１４の設置スペースを少なくすることもできる。オストメイトが使用をする汚物流しユニット１４が備えられる多目的トイレは、駅のトイレや街の公衆トイレなどのパブリックスペースに設置されることが多い。このような、パブリックスペースなどでは、比較的狭いスペースしか確保できない場合もあるが、本実施の形態に係る汚物流しユニット１４はそのような場所にも設置が可能となる。
【００６０】
また、図７に示すように、ボウル３０の上部の開口縁部にはリム部１１６が設けられている。そして、このリム部１１６の内壁面は、ボウル３０の内壁面となだらかに連接するようになっている。また、リム部１１６の内壁面には、ボウル３０内に噴出された水の旋回流を形成させるための案内部１１６ａが設けられている。尚、案内部１１６ａはその断面を凹状として、旋回流を形成させやすくすることもできる。
ボウル３０には、案内部１１６ａに向けて水道水などの水を噴出する噴出口１１６ｂが設けられ、噴出口１１６ｂには図示しない水タンクなどの給水源が接続されている。また、フラッシュバルブの操作部３３を操作することにより、水タンクなどの給水源から水道水などの水が噴出口１１６ｂを介して案内部１１６ａに噴出されるようになっている。そして、水道水などの水は、噴出口１１６ｂから水平方向に噴出され、噴出された水は案内部１１６ａに沿ってボウル３０の上縁部分をほぼ一周旋回しながら、ボウル３０の壁面などに付着した汚物を封水１１３の内へ流し込む。すなわち、ボウル３０内に噴出された水は案内部１１６ａに沿うようにして旋回流を形成し、ボウル３０の壁面などに付着した汚物を除去しつつ封水１１３の内へ流れ込む。封水１１３の中に流れ込んだ汚物はボウル３０内に噴出された水とともに排水部１０９から外部に排出される。
【００６１】
本実施の形態におけるリム部１１６の内壁面は、ボウル３０の内壁面となだらかに連接するようになっている。そのため、内面壁に突出部や張り出し部がなく、突出部や張り出し部により水流が遮られるために汚物が付着しやすかったり、また、除去と清掃がし難いような部分が存在しない。また、汚物が付着、残留しやすいボウル３０の上部には、洗浄と排出のための旋回流を形成させるようにしているので、ボウル３０内に付着、残留する汚物を大幅に低減させることができる。その結果、清掃の手間を削減することができ、また、衛生面にも優れた汚物流しユニット１４とすることができる。
本実施の形態においては、ボウル３０の背面側の上面高さ（ボウル３０の最も高い部分の高さ）と、ライニング６の上面高さとを近接させたものとしている。すなわち、ボウル３０の上面と、ライニング６の上面とが近接する高さの位置となるようにしている。例えば、図７に例示をしたものでは、ボウル３０の背面側の上面と、ライニング６の上面とが略同一の高さの位置となるようにしている。ただし、必ずしも同一高さとする必要はなく、両者の高さ方向の位置関係が近接していればよい。尚、後述する鏡３５による視認性、扉３４ａの前方に形成されるスペースの有効利用などを考慮すれば、両者の高さが略同一か、ボウル３０の背面側上面の高さの方が若干低くなるようにすることが好ましい。このように両者の高さを近接させたものとすれば、オストメイトが廃棄・洗浄作業をする高さ方向の位置と、ライニング６の上面の高さ位置とを極力近接させることができる。
【００６２】
そのため、ライニング６の上面を、オストメイトが行う一連の作業に必要となるもの（例えば、タオルや着替えなど）を一時的に置く場所として利用するのに適した高さ、すなわち、オストメイトが行う作業姿勢のままでもこれらのものに手が届く高さとすることができる。その結果、オストメイトにとって使い易いシステムとすることができる。
【００６３】
ここで、ライニング６の上面の高さ寸法を後述するもののようにすれば、オストメイトが廃棄・洗浄作業をする姿勢のままで物を置いたり、取ったりすることが容易となる。そして、ライニング６の上面の高さ寸法をこのようにすれば、ボウル３０の背面側の上面高さ寸法もこれと近接したものとなるので、ボウル３０のリップ部１０８の高さ寸法も低くすることができる。そのため、オストメイトがリップ部１０８に腹部を押し当て行う立ち作業のみならず、例えば、車椅子使用者がカテーテル内の尿を廃棄するような座り作業にも適した高さとすることができる。
【００６４】
例えば、ライニング６の上面の高さ寸法を床から７００ｍｍ以上、８００ｍｍ以下とすれば、ボウル３０のリップ部１０８の高さ寸法を６５０ｍｍ程度とすることができる。
【００６５】
この場合、作業に必要となる水栓３１、液体石鹸供給器３２、フラッシュバルブの操作部３３などや、ライニング６の上面もすべて近接した高さにあるので、車椅子使用者などが行う座り作業においても作業性を向上させることができる。
【００６６】
そして、ボウル３０の背面側の上面高さと、ライニング６の上面高さとを近接させたものとしても、水栓３１や液体石鹸供給器３２などがボウル３０内に設けられているので、作業にともなう水などでライニング６の上面が濡れることを抑制することができる。すなわち、ライニング６の上面は、いわゆるドライカウンターとして利用することができる。
【００６７】
図１に示すように、ボウル３０の背面側のライニング６の上部にはキャビネット３４が設けられている。キャビネット３４は、その内部に空間を有し、例えば、フラッシュバルブ３７、電気温水器３６、図示しない液体石鹸供給器のタンクなどを設置したり、メンテナンス用の部品、洗剤、トイレットペーパーなどの消耗品を収納させたりすることができる。キャビネット３４の前面には開閉式の扉３４ａを設けることができ、内部に設置された装置などのメンテナンスや消耗品などの出し入れが容易となっている。扉３４ａは、いたずら行為を防止するため施錠可能、または、取っ手などを設けずに開けにくい構造とすることが好ましい。尚、キャビネット３４の前面に扉を設けずに、例えば、側面などに扉を設けるようにすることもできる。
【００６８】
また、キャビネット３４の奥行き寸法を小さく（薄く）するものとすれば、扉３４ａ前方のライニング６上面にスペースができるので、ここを一時的に物を置く場所として利用することが可能となる。また、キャビネット３４の幅寸法を小さくすれば、キャビネット３４側方のライニング６上面のスペースが拡がるので、物が置きやすくなる。
【００６９】
キャビネット３４の前面（図７に例示をしたように、扉３４ａが備えられたものの場合は扉３４ａの前面）には、鏡３５が設けられている。鏡３５は、オストメイトがストーマやストーマの周辺を視認することなどに用いる。オストメイトの体格によっては、腹などに隠れてストーマやその周辺が視認しづらい場合がある。そのような場合、鏡３５を設けるものとすれば、ストーマやその周辺の洗浄状況やストーマの装着状況を視認することが容易となる。
【００７０】
本実施の形態においては、鏡３５をキャビネット３４の扉３４ａに設けるものとしている。そのため、オストメイトが作業を行う場所の正面に鏡３５が設けられていることになり、移動や体の向きを変えることなくストーマやストーマの周辺を視認することができる。
【００７１】
この場合、鏡３５の下端とライニング６の上面とが近接するようにすることが好ましい。鏡３５の下端とライニング６の上面とが近接していれば、映し出すことができる範囲を拡げることができ、前述の視認が容易となる。例えば、図１や図７に例示をしたものでは、鏡３５の下端とライニング６の上面とが当接する程度に近接させるものとしている。ただし、鏡３５の下端とライニング６の上面とを当接させる必要はなく、隙間を設けるようにすることもできる。
【００７２】
また、鏡３５の前面位置とライニング６の前面位置とが近接するようにすることが好ましい。鏡３５がライニング６の前面側にあるほど映し出すことができる範囲を拡げることができ、前述の視認が容易となる。この場合、鏡３５をライニング６の前面側に出せば、扉３４ａの前面に形成されるスペースは少なくなる。そのため、キャビネット３４内部に設けることが必要な空間の大きさ、扉３４ａの前面に形成されるスペースの必要性、ストーマやストーマの周辺に対する視認性などを考慮して、キャビネット３４などの奥行き寸法を決めるようにすることが好ましい。
【００７３】
本実施の形態に係るボウル３０は、ボウル３０の背面側の上面高さとライニング６の上面高さとを近接したものとしている。また、上面形状が前面１１０の方向（オストメイトが作業する側）に向けて下方傾斜をしている。そして、水栓３１などはボウル３０の背面側の上部開口付近の内壁に設けられている。そのため、鏡３５の下端より上方に設けられるものが極めて少なく、鏡３５に映し出すことができる範囲を拡げることができる。また、オストメイトの視線が水栓３１などに遮られることもない。
【００７４】
図８は、水栓３１を例示するための模式斜視図である。        
水栓３１には、水道水などの水を吐水させるための吐水ヘッド１１９と、吐水ヘッド１１９に接続された可撓性のホース１１７と、ホース１１７の収納と引き出しが可能な水栓取り付け部１１８と、が設けられている。吐水ヘッド１１９は、水栓取り付け部１１８からホース１１７とともに引き出して使用することができ、水道水などの水を所望の位置や向きで吐水させることができる。吐水ヘッド１１９が水栓取り付け部１１８に装着されている状態では、水がボウル３０内に落下しやすいように、吐水ヘッド１１９は若干前向きに傾斜して設置されている。
【００７５】
そして、吐水ヘッド１１９を引き出さない状態での吐水方向が、ボウル３０の内壁部に向かうようになっている。そのため、吐水ヘッド１１９が引き出されていない状態で吐水をすれば、ボウル３０の内壁が常に洗い流され衛生面に優れた汚物流しユニット１４となっている。また、吐水ヘッド１１９が水栓取り付け部１１８に装着されているままでもパウチ内などの洗浄がしやすいようにもなっている。また、吐水ヘッド１１９を引き出すことで、オストメイトが服を脱いでストーマやストーマ周辺を洗浄したり、ボウル３０内部を局所的に洗浄したりすることがしやすいようにもなっている。
【００７６】
また、水栓３１は、いわゆるスイッチ水栓とすることができる。そのため、水栓３１のヘッド部１２０を押すことで吐水をさせることができ、再度ヘッド部１２０を押すことで吐水を停止させることができる。吐水ヘッド１１９は、シャワー状の吐水をさせるものとすることができるが、これに限定されるわけではなく、適宜変更することができる。
【００７７】
ホース１１７が吐水ヘッド１１９とともに水栓取り付け部１１８から引き出され、ボウル３０の上部開口付近で吐水ヘッド１１９から吐水をさせる場合において、ホース１１７の撓んだ部分が封水部１１３の封水に触れないようなホース１１７の長さとすることが好ましい。    
また、水栓取り付け部１１８にホース１１７を収納させやすいようにするため、ホース１１７の収納（水栓取り付け部１１８への引き込み）を助長する図示しない付勢手段を設けるようにすることもできる。
【００７８】
本実施の形態においては、ボウル３０の背面側の上部開口付近に水栓３１を設けるようにしているため、オストメイトが行う洗浄作業の位置と水栓取り付け部１１８の位置とを近接させることができる。そのため、水栓取り付け部１１８からの吐水ヘッド１１９の引き出し量を少なくすることができ、その分、引き出されるホース１１７の長さを短くすることができる。その結果、ホース１１７のたわみ量をも少なくすることができ、撓んだホース１１７が封水部１１３に触れることを防止することができる。
【００７９】
また、キャビネット３４の内部に設けられた電気温水器３６により、水栓３１から温水を吐水させることもできる。また、温水と水道水などの水との混合割合を調整するための調整手段を設けて水栓３１から吐水させる水の温度を調整するようにすることもできる。
【００８０】
また、水栓３１の配管には図示しないバキュームブレーカを設けるようにすることができる。バキュームブレーカは、ボウル３０のリップ部１０８よりも上方に位置するようにして設けられる。そのようにすれば、汚水がバキュームブレーカの空気取り入れ口から侵入したり、吐水ヘッド１１９を汚物などで汚してしまったような場合でも上流側（水道水側）が汚されるのを抑制することができる。バキュームブレーカとしては、スイング弁を用いたものやダックビルを用いたものなどを採用することができる。尚、図示しないバキュームブレーカは、例えば、キャビネット３４の内部に設けるようにすることができる。
【００８１】
図９は、フラッシュバルブを例示するための模式図である。      
フラッシュバルブ３７は、ボウル３０の内壁に付着した汚物などを水圧を利用して一気に洗い流すためのものであり、前述したように、操作部３３を操作することにより、水タンクなどの給水源からの水が汚物流し用水配管１２４を介して噴出口１１６ｂから案内部１１６ａに噴出されるようになっている。
【００８２】
また、フラッシュバルブ３７の下部（下流側）には、バキュームブレーカ１２２が設けられており、フラッシュバルブ３７の左側部は上流側の水配管１２３と接続されている。そして、水配管１２３は図示しない水タンクなどの給水源と接続されている。
【００８３】
また、バキュームブレーカ１２２は、ボウル３０のリップ部１０８よりも上方に位置するようにして設けられている。そのようにすれば、汚水がバキュームブレーカの空気取り入れ口から侵入したり、上流側（水道水側）が汚物などにより汚されたりすることを抑制することができる。バキュームブレーカとしては、スイング弁を用いたものやダックビルを用いたものなどを採用することができる。尚、図１に示したように、フラッシュバルブ３７はキャビネット３４の内部に設けられている。
液体石鹸供給器３２は、少量の液体石鹸を吐出可能とするものであり、図示しない液体石鹸を収容するためのタンクや吐出手段などを備えている。尚、液体石鹸供給器３２は、必ずしも必要ではなく省くこともできるが、公衆衛生の観点からは設けられていた方が好ましい。また、液体石鹸供給器３２の変わりに、あるいは液体石鹸供給器３２とともに、消毒液供給器などを設けるようにすることもできる。尚、図示しない液体石鹸を収容するためのタンクは、例えば、キャビネット３４の内部に設けるようにすることができる。
【００８４】
図１０は、電気温水器３６を例示するための模式斜視図である。    
図１０に示すように、電気温水器３６は、箱形状の本体５１を備え、本体５１の左側面には電源スイッチ５２と湯温調節ダイヤル５３が、前面には膨張弁操作レバー５４、電源コード５９、水抜栓６７及び排水栓６９が、上面には給水口５５、出水口５６、出湯口５７、膨張水排水口５８、吸気栓６８がそれぞれ設けられている。また、本体５１の内部には、図示しない貯湯タンク、貯湯タンク内の水を加熱するためのシーズヒータなどが設けられている。尚、電気温水器３６は先止式であって、出水口５６及び出湯口５７よりも下流側の管路での開閉が可能となっている。
【００８５】
第１のライニング６は、トイレブースなどの壁面から突出するようにして設けられ、その前面には、便器２、背もたれ３、跳ね上げ手すり４、汚物流しユニット１４などが設けられている。また、上面には、キャビネット３４が設けられている。
【００８６】
ライニング６は、少なくとも前面と上面とが遮蔽された奥行方向に薄い箱形状を呈しており、図示しない堅牢なフレーム部材と複数枚の板状部材とから形成されている。尚、ライニング６の側面がトイレブースなどの空間に露出する場合には、これを側面板で覆うようにすることが好ましい。また、背面側（トイレブースなどの壁面側）、底面側（床面側）にも板状部材を設けるようにすることもできる。また、ライニング６の内部には、便器２の配管、便器２に設けられる図示しない衛生洗浄装置やフラッシュバルブなどの配管、図示しない衛生洗浄装置などの配線、ボウル３０やボウル３０に設けられる水栓３１、液体石鹸供給器３２、フラッシュバルブの操作部３３などの配管を設けるようにすることができる。
【００８７】
第２のライニング５は、第１のライニング６が設けられたトイレブースの壁面と略直行する壁面から突出するようにして設けられている。そして、その前方には、ライニング６の前面と略平行な固定手すり８の水平部８ａ、その前面には、トイレットペーパーホルダー９、操作手段１０、非常呼び出し手段１０ａなどが設けられている。また、上面には、手洗い器７、洗面器１１が埋め込むようにして設けられている。
ライニング５は、少なくとも前面、上面、底面が遮蔽された奥行方向に薄い箱形状を呈しており、図示しない堅牢なフレーム部材と複数枚の板状部材とから形成されている。尚、ライニング６の側面がトイレブースなどの空間に露出する場合には、これを側面板で覆うようにすることが好ましい。また、背面側（トイレブースなどの壁面側）にも板状部材を設けるようにすることもできる。    
また、ライニング６の上面と、ライニング５の上面とが略同一高さとなるように連設して設けられている。
【００８８】
ライニング５の底面は、床面から所定の寸法だけ離間するようになっている。すなわち、ライニング５の底面と床面との間に空間５ａが形成されるようになっている。ここで、ライニング５の底面から床面までの寸法は、車椅子のフットレスト部分が入る寸法とされている。そのため、車椅子のフットレスト部分が空間５ａの中に侵入可能とされており、例えば、車椅子使用者がライニング５の上面に荷物などを置く場合などに、ライニング５に近づきやすいようになっている。この場合、空間５ａの高さを３００ｍｍ以上とすることが好ましい。尚、空間５ａは必ずしも必要ではないが、設けられているものとすれば、前述したように車椅子によるライニング５への接近が容易となる。空間５ａが設けられない場合は、必ずしも底面が遮蔽されている必要はなく、少なくとも前面と上面とが遮蔽されていればよい。ただし、そのような場合であっても、底面が遮蔽されているようにすることができる。
【００８９】
ライニング５の内部には、手洗い器７や洗面器１１などの配管や操作手段１０、非常呼び出し手段１０ａなどの配線を設けるようにすることができる。    
ここで、立ち座り行為が困難な障害者（例えば、下肢に麻痺などを持つ人）にとっては、靴やタオル、生理用品などが便座２ｂに着座した姿勢でも手が届く位置に置けることが好ましい。また、下肢に麻痺などを持つ人が自己導尿器具を使い排泄行為を行う際には、車椅子に乗ったままカテーテルやそのケース、消毒液、タオルなど様々な器具を身近に置いて作業をする必要がある。
【００９０】
そのため、第１のライニング６や第２のライニング５の上面に、これらの荷物や用具などが置けるようにする必要がある。この場合、例えば、車椅子使用者が多目的トイレユニット１を使用する場合を考慮すると、第１のライニング６や第２のライニング５の高さ寸法が重要となる。
【００９１】
また、便器２への着座や着座後の動作などを考慮すると、第１のライニング６や第２のライニング５がこれらの動作の障害とならないようにする必要がある。その場合においても、第１のライニング６や第２のライニング５の高さ寸法が重要となる。
【００９２】
また、前述したように、第１のライニング６の前面には汚物流しユニット１４のボウル３０も設けられている。そのため、ライニング６の高さ寸法は、オストメイトが行う一連の作業に必要となるもの（例えば、タオルや着替えなど）を一時的に置く場所として利用するのに適した高さ、すなわち、オストメイトが行う作業姿勢のままでもこれらのものに手が届く高さとする必要がある。
【００９３】
図１１は、便器の高さとライニングの高さとの関係を比較例を用いて説明をするための模式図である。    
図１１に示すように、トイレブースなどの壁面から突出するようにしてライニング１０６が設けられ、その前面には便器１００が設けられている。また、ライニング１０６の上方には、背もたれ１０３が設けられている。そして、便器１００の側面側には、ライニング１０６とその上面を連接するようにしてライニング１０５が設けられている。
【００９４】
図１１に示す比較例においては、便器１００に着座したときに使用者の首の下部付近にライニング１０６の上面付近が来るような高さ関係となっている。
【００９５】
ここで、下肢に麻痺を有する人が車椅子から便器１００に乗り移る際には、跳ね上げ手すり４と固定手すり８の水平部８ａを手でつかみ、便器１００の前方からライニング１０６の方向に向けて移動を行ういわゆる「馬乗り」動作を行う。このような場合、便器１００の後方に高い壁（ライニング１０６）があると、頭がぶつかり移動が行いにくくなる。
【００９６】
また、便座に着座した後にズボンなどを脱ぐ場合には、上体を後方にそらしながら腰を浮かせるいわゆる「のけぞり」動作を行う。このような場合も、便器１００の後方に高い壁（ライニング１０６）があると、上体を後方にそらすことができず、腰を浮かせることができないのでズボンなどが脱ぎにくい。
【００９７】
また、便座に着座した状態で、手洗い器７を使ったり、操作手段１０を操作したり、跳ね上げ手すり４を操作したりする場合には、上体を回転させるようにするいわゆる「ひねり」動作を行う。このような場合、便器１００の後方に高い壁（ライニング１０６）があったり、便器１００の側方に高い壁（ライニング１０５）があったりすると、手、腕、肘などが当たるので「ひねり」動作を行いにくい。
【００９８】
また、前述のように、車椅子に着座した状態においても、ライニングの上面に楽に荷物が置けたり、手が届いたりすることができるようにすることが好ましい。この場合、例えば、特許文献１に開示をされているような技術においては、ライニングの上面に車椅子使用者が荷物を置く場合についての考慮がされておらず、荷物を置く場合などの使い勝手に関して改良の余地を残していた。
【００９９】
本発明者は検討の結果、便座２ｂに着座した人がライニング６の方向に向けてのけぞった場合（「のけぞり」動作を行った場合）に、ライニング６の上面の上方であって、ライニング６の前面とトイレブースなどの壁面との間に形成された空間に、着座した人の少なくとも肩甲骨より上の部位が侵入可能となるようなライニング６の上面の高さとすれば、「馬乗り」動作、「のけぞり」動作、「ひねり」動作を容易に行うことができ、かつ、車椅子に着座した状態においてもライニングの上面に楽に荷物が置けたり、手が届いたりすることができるとの知見を得た。
【０１００】
この場合、便座２ｂに着座した人の肩甲骨の位置よりも低い位置にライニング６の上面を設けるようにすればよい。このような位置にライニング６の上面を設けるようにすれば、肩甲骨付近を上面の縁に押し当てるようにして「のけぞり」動作をすることができる。また、その際、前述の空間の中に着座した人の少なくとも肩甲骨より上の部位が侵入可能となる。
【０１０１】
また、本発明者はさらなる検討の結果、便器２の着座部分（便座２ｂの上面）からライニング６の上面までの寸法（高さの差）を３００ｍｍ以上、４００ｍｍ以下とすれば「馬乗り」動作、「のけぞり」動作、「ひねり」動作をも容易に行うことができるとの知見を得た。そして、便器２の着座部分（便座２ｂの上面）の高さとライニング６の高さとの関係をこのようにすれば、車椅子に着座した状態においてもライニング６の上面に楽に荷物が置けたり、手が届いたりすることができるとの知見を得た。尚、ライニング５の上面もこれに合わせるようにすれば、手洗い器７を使ったり、操作手段１０などを操作したりする場合の「ひねり」動作をも容易に行うことができ、また、車椅子に着座した状態においてもライニング５の上面に楽に荷物が置けたり、手が届いたりすることができる。
【０１０２】
そしてさらに、ライニング６の上面の高さを前述のようにすれば、オストメイトが行う一連の作業に必要となるもの（例えば、タオルや着替えなど）を一時的に置く場所として利用するのに適した高さ、すなわち、オストメイトが行う作業姿勢のままでもこれらのものに手が届く高さとすることができるとの知見をも得た。
【０１０３】
また、便器２への着座や着座後の動作、車椅子に着座した状態で荷物を置くことなどを考慮すれば、ライニング５、６上面の奥行き方向寸法は２００ｍｍ以上とすることが好ましい。
【０１０４】
尚、例えば、床面から便器２の着座部分（便座２ｂの上面）までの高さを４００ｍｍ程度とすれば、床面からライニング６の上面までの寸法（高さ）は７００ｍｍ以上、８００ｍｍ以下とすることができる。また、ライニング６の上面と、ライニング５の上面と、が略同一高さとなるように連設して設けられているので、床面からライニング５の上面までの寸法（高さ）は７００ｍｍ以上、８００ｍｍ以下とすることができることになる。
【０１０５】
図１２は、本実施の形態に係る多目的トイレユニットにおける「馬乗り」動作を説明するための模式図である。      
下肢に麻痺を有する人が車椅子から便器２に乗り移る際には、跳ね上げ手すり４と固定手すり８の水平部８ａを手でつかみ、便器２の前方からライニング６の方向に向けて移動を行う（馬乗り動作）。
【０１０６】
この際、ライニング６の上面の位置が着座した人の肩甲骨よりも低い位置にあるので、頭がライニング６に当たることがない。また、頭をライニング６の上面の上方に形成される空間に入れることもできる。そのため、馬乗り動作を円滑に行うことができる。また、ライニング６の上端部付近には背もたれ３が設けられているので、これに手をかけて馬乗り動作を行えば円滑な動作を行うことができるし、また、前のめりになった場合でも背もたれ３がクッションとなる。    
尚、便器２の着座部分からライニング６の上面までの寸法（高さの差）を３００ｍｍ以上、４００ｍｍ以下とした場合も同様である。
【０１０７】
図１３は、本実施の形態に係る多目的トイレユニットにおける「のけぞり」動作を説明するための模式図である。      
下肢に麻痺を有する人が便座に着座した後にズボンなどを脱ぐ場合には、上体を後方にそらしながら腰を浮かせるようにする（のけぞり動作）。
【０１０８】
このような場合においても、ライニング６の上面の位置が着座した人の肩甲骨よりも低い位置にあるので、頭や肩などをライニング６の上面の上方に形成される空間に入れることができる。そのため、上体を容易に後方にそらせて腰を浮かせることができる。その結果、ズボンなどの着脱を円滑に行うことができるようになる。    
尚、便器２の着座部分からライニング６の上面までの寸法（高さの差）を３００ｍｍ以上、４００ｍｍ以下とした場合も同様である。
【０１０９】
図１４、図１５は、本実施の形態に係る多目的トイレユニットにおける「ひねり」動作を説明するための模式図である。    
図１４に示すように、便座に着座した状態で跳ね上げ手すり４を操作する場合には、上体を回転させて上体を跳ね上げ手すり４の方向に向かせるようにする（ひねり動作）。
【０１１０】
このような場合においても、ライニング６の上面の位置が着座した人の肩甲骨よりも低い位置にあるので、肘や腕などをライニング６の上面の上方に形成される空間に入れることができる。そのため、上体を容易にひねることができ、また、跳ね上げ手すり４を回動（上下）させるための操作も円滑に行うことができるようになる。    
尚、便器２の着座部分からライニング６の上面までの寸法（高さの差）を３００ｍｍ以上、４００ｍｍ以下とした場合も同様である。
【０１１１】
また、図１５に示すように、便座に着座した状態で手洗い器７を使ったり、操作手段１０などを操作したりする場合には、上体を回転させて上体を手洗い器７や操作手段１０などの方向に向かせるようにする（ひねり動作）。
【０１１２】
このような場合においても、ライニング５、６の上面の位置が肩甲骨よりも低い位置にあるので、肘や腕などをライニング５、６の上面の上方に形成される空間に入れることができる。そのため、上体を容易にひねることができ、また、手洗い器７の操作や使用、操作手段１０などの操作も円滑に行うことができるようになる。    
尚、便器２の着座部分からライニング５、６の上面までの寸法（高さの差）を３００ｍｍ以上、４００ｍｍ以下とした場合も同様である。
【０１１３】
次に、多目的トイレユニット１の作用について説明をする。        
まず、車椅子使用者が便器２を使用する場合を説明する。    
車椅子使用者は、必要に応じて荷物などをライニング５やライニング６の上面に置く。本実施の形態においては、ライニング５、６の上面の位置が肩甲骨よりも低い位置にあるので、ライニング５、６の上面の位置が低い。そのため、荷物などを楽に置くことができる。尚、便器２の着座部分からライニング５、６の上面までの寸法（高さの差）を３００ｍｍ以上、４００ｍｍ以下とした場合も同様である。
【０１１４】
次に、車椅子で便器２の前方に近づき、「馬乗り」動作を行うことにより車椅子から便器２に移動する。この場合も、ライニング６の上面の位置が着座した人の肩甲骨よりも低い位置にあるので、頭がライニング６に当たることがない。また、頭をライニング６の上面の上方に形成される空間に入れることもできる。そのため、馬乗り動作を円滑に行うことができる。また、ライニング６の上端部付近には背もたれ３が設けられているので、これに手をかけて馬乗り動作を行えば円滑な動作を行うことができるし、また、前のめりになった場合でも背もたれ３がクッションとなる。尚、便器２の着座部分からライニング６の上面までの寸法（高さの差）を３００ｍｍ以上、４００ｍｍ以下とした場合も同様である。
次に、便座２ｂに着座し、ズボンなどを脱ぐために「のけぞり」動作を行う。      
このような場合においても、ライニング６の上面の位置が着座した人の肩甲骨よりも低い位置にあるので、頭や肩などをライニング６の上面の上方に形成される空間に入れることができる。そのため、上体を容易に後方にそらせて腰を浮かせることができ、ズボンなどの着脱を円滑に行うことができる。尚、便器２の着座部分からライニング６の上面までの寸法（高さの差）を３００ｍｍ以上、４００ｍｍ以下とした場合も同様である。
【０１１５】
次に、便座２ｂに着座した状態で操作手段１０などを操作するために「ひねり」動作を行う。この場合においても、ライニング５、６の上面の位置が肩甲骨よりも低い位置にあるので、肘や腕などをライニング５、６の上面の上方に形成される空間に入れることができる。そのため、上体を容易にひねることができ、また、操作手段１０の操作も円滑に行うことができる。尚、便器２の着座部分からライニング５、６の上面までの寸法（高さの差）を３００ｍｍ以上、４００ｍｍ以下とした場合も同様である。
また、固定手すり８の水平部８ａの上方に操作手段１０や非常呼び出し手段１０ａを設けるようにしているので、例えば、使用者がリウマチなどにより、指による操作が困難な場合であっても、水平部８ａの上面に手や腕を置くことで不随意運動を抑えて、拳、指の関節部分、手の甲などによる操作が可能となる。
また、操作手段１０や非常呼び出し手段１０ａは、ライニング５の上端近傍に設けられているので、例えば、使用者が手に麻痺を有する者であっても、カウンタ５の上面に手や腕を置くことでこれらを支え不随意運動を抑えて、手首を回転させることで操作をすることが可能となる。
また、各種の操作を行うための操作部は、横方向（水平方向）に並べられ、非常呼び出し手段１０ａも操作手段１０の横に設けられているので、水平部８ａやライニング５の上面に置いた手や腕をこれらに沿わせるようにして横方向に移動するだけで各種の操作を容易にすることができる。
【０１１６】
次に、図示しない操作手段によりフラッシュバルブ２２を操作して、汚物を排出する。その後、便座２ｂに着座した状態で手洗い器７を使うために「ひねり」動作を行う。この場合においても、前述したように、ライニング５、６の上面の位置が肩甲骨よりも低い位置にあるので、上体を容易にひねることができ、また、手洗い器７の操作や使用も円滑に行うことができる。尚、便器２の着座部分からライニング５、６の上面までの寸法（高さの差）を３００ｍｍ以上、４００ｍｍ以下とした場合も同様である。
【０１１７】
次に、必要があれば、便座２ｂに着座した状態で跳ね上げ手すり４を操作するために先程とは逆向きの「ひねり」動作を行う。この場合においても、前述したように、ライニング６の上面の位置が着座した人の肩甲骨よりも低い位置にあるので、肘や腕などをライニング６の上面の上方に形成される空間に入れることができる。そのため、上体を容易にひねることができ、また、跳ね上げ手すり４を回動（上下）させるための操作も円滑に行うことができる。尚、便器２の着座部分からライニング６の上面までの寸法（高さの差）を３００ｍｍ以上、４００ｍｍ以下とした場合も同様である。
【０１１８】
次に、前述したものとは逆の手順で便器２から車椅子に移動し、車椅子で便器２から離れる。そして、ライニング５やライニング６の上面に置いた荷物を取る。この場合においても、ライニング５、６の上面の位置が肩甲骨よりも低い位置にあるので、荷物などを楽に取ることができる。尚、便器２の着座部分からライニング５、６の上面までの寸法（高さの差）を３００ｍｍ以上、４００ｍｍ以下とした場合も同様である。
【０１１９】
次に、オストメイトが汚物流しユニット１４を使用する場合について説明をする。  
オストメイトは、汚物の廃棄・洗浄作業を行うに先立ち、一連の作業に必要となるもの、例えば、タオル、新しいパウチ、着替えなどをボウル３０の近傍のライニング６の上面に置く。
【０１２０】
次に、身体に装着していたパウチを外して、水栓３１から吐水される水でこのパウチの内部を洗浄したり、ストーマ及びその周辺を洗浄したりする。この際、図８に示したように、吐水ヘッド１１９を水栓取り付け部１１８から引き出して吐水をさせるようにすることができる。また、冬場などにおいては、水栓３１から所望の温度の温水を吐水させることもできるし、液体石鹸供給器３２から液体石鹸を出して、手やパウチなどの洗浄を行うこともできる。  本実施の形態に係る汚物流しユニット１４においては、前述したように、ホース１１７の撓み量を少なくすることができるので、撓んだホース１１７が封水部１１３に触れることを防止することができる。そのため、洗浄作業の作業性を向上させることができるのみならず、衛生的でもある。
【０１２１】
また、前述したように、吐水ヘッド１１９を引き出さない状態での吐水方向が、ボウル３０の内壁部に向かうようになっている。そのため、吐水ヘッド１１９が引き出されていない状態で吐水をすれば、ボウル３０の内壁が常に洗い流され衛生的である。
【０１２２】
こうした汚物の廃棄・洗浄作業を行っている最中に、例えば、汚物がストーマから勢い良く飛び出したり、パウチ内やストーマ廻りの汚物の量、状態、洗い方などによって汚物が周囲に飛び散ったりして、不本意にも周辺を汚してしまうことがある。このような場合であっても、本実施の形態に係る汚物流しユニット１４は、ボウル３０のリム部１１６の内壁面がボウル３０の内壁面となだらかに連接するようになっているため、汚物が付着しやすく、また、除去と清掃がし難い部分が存在しない。また、汚物が付着、残留しやすいボウル３０の上部には、洗浄と排出のための旋回流を形成させるようにしているので、ボウル３０内に付着、残留する汚物を大幅に低減させることができる。その結果、清掃の手間を削減することができるのみならず、衛生的でもある。
【０１２３】
次に、ストーマ及びその周辺を洗った後、タオルやトイレットペーパーなどでストーマやその周辺に付いた水を拭き取り、新しいパウチをストーマに装着する。  
次に、操作部３３を押し、フラッシュバルブ３７を作動させてボウル３０の内壁面を洗い流すとともに、排水部１０９を介して汚物をボウル３０の外部に一気に排出させる。この際、吐水ヘッド１１９からも吐水をさせてボウル３０の内壁を洗い流すようにすることもできるし、吐水ヘッド１１９を水栓取り付け部１１８から引き出して吐水をさせることで、ボウル３０の各所などを洗浄することもできる。
【０１２４】
本実施の形態に係る汚物流しユニット１４においては、洗浄などの作業位置と作業に用いられる水栓３１などの位置とを同一平面に近い状態とすることができる。そのため、オストメイトの目の位置と、廃棄・洗浄作業をする位置との間に水栓３１などが介在することを極力抑制することができる。その結果、オストメイトの視線が遮られないので作業の視認性を大幅に向上させることができる。また、作業位置と作業に用いられる水栓３１などの位置とが同一平面に近い状態にあるので、水栓３１などの装置同士の間の隙間（例えば、水栓３１と液体石鹸供給器３２との間の隙間、水栓３１とフラッシュバルブの操作部３３との間の隙間）を通して作業を視認することも容易となる。
【０１２５】
また、前述したように、オストメイトが作業を行う場所の正面には鏡３５が設けられているので、移動や体の向きを変えることなくストーマやストーマの周辺を視認することができる。    
また、鏡３５の下端とライニング６の上面とが近接するようにしてあるので、映し出すことができる範囲が広く、かつ、オストメイトの視線が水栓３１などに遮られることもないので前述の視認が容易となる。
【０１２６】
また、これら一連の作業において必要となる装置、例えば、水栓３１、液体石鹸供給器３２、フラッシュバルブ３７の操作部３３が廃棄・洗浄作業をする位置の近くに設けられている。そして、ライニング６の上面高さが低く、かつ、廃棄・洗浄作業をする位置とライニング６の上面の位置とが同一平面に近い状態となっている。そのため、オストメイトが行う作業姿勢のままでも、これらの装置やライニング６の上面に一時的に置いた物に容易に手が届くため、オストメイトにとって使い易いシステムとなっている。
【０１２７】
また、水栓３１などをボウル３０に直接設け、電気温水器３６などもキャビネット３４の内部に設けるようにしているので、汚物流しユニット１の設置スペースを少なくすることができる。そのため、設置スペースの狭いパブリックスペースなどにも設置が可能となりオストメイトにとって便利なシステムとなっている。
また、本実施の形態に係るボウル３０は、そのリップ部１０８がボウル３０の外側に向けて凸状に湾曲した形状をしている。そのため、背の高いオストメイトであってもリップ部１０８に腹部を押し当てやすく、容易に汚物の廃棄や洗浄をすることができる。
【０１２８】
また、ボウル３０の前面１１０（オストメイトが作業する側の面）は、下方になるに従いボウル３０の背面側（前面１１０対向する側の面）に近づくような方向に傾斜をしている。この傾斜により形成される空間１１１に膝などを入れることで、オストメイトが前かがみになり腹部をリップ部１０８に押し当てた状態での汚物の廃棄や洗浄が容易となる。
【０１２９】
また、ボウル３０の側面１１２ａ、側面１１２ｂはボウル３０の軸線に略平行な平面となっている。そのため、側面１１２ａ、側面１１２ｂを膝などで挟むことができ、オストメイトが前かがみになり腹部をリップ部１０８に押し当てた状態での汚物の廃棄や洗浄作業の安定性を図ることができる。
【０１３０】
尚、説明の便宜上、多目的トイレユニット１に汚物流しユニット１４が設けられている場合を説明したが、本発明はこれに限定されるわけではなく、例えば、図１６に示すように、汚物流しユニット１４が設けられておらず、便器２、跳ね上げ手すり４、カウンタ５、カウンタ６、手洗い器７、固定手すり８、洗面器１１などが設けられているようなものとすることもできる。この場合、前述したものと同様の部分には、同じ符号を付しその説明は省略する。
【０１３１】
以上、本発明の実施の形態について説明をした。しかし、本発明はこれらの記述に限定されるものではない。
【０１３２】
前述の実施の形態に関して、当業者が適宜設計変更を加えたものも、本発明の特徴を備えている限り、本発明の範囲に包含される。
【０１３３】
例えば、多目的トイレユニット１に設けられる各装置や各要素などの形状、寸法、材質、配置などは、例示したものに限定されるわけではなく適宜変更することができる。
【０１３４】
また、前述した各実施の形態が備える各要素は、可能な限りにおいて組み合わせることができ、これらを組み合わせたものも本発明の特徴を含む限り本発明の範囲に包含される。
【図面の簡単な説明】
【０１３５】
【図１】本発明の実施の形態に係る多目的トイレユニットを例示するための模式斜視図である。
【図２】便器を例示するための模式断面図である。
【図３】跳ね上げ手すりを例示するための一部切欠模式断面図である。
【図４】手洗い器を例示するための模式斜視図である。
【図５】操作手段、非常呼び出し手段を例示するための模式図である。
【図６】ボウルを例示するための模式図である。
【図７】ボウルの設置を例示するための模式断面図である。
【図８】水栓を例示するための模式斜視図である。
【図９】フラッシュバルブを例示するための模式図である。
【図１０】電気温水器を例示するための模式斜視図である。
【図１１】便器の高さとライニングの高さとの関係を比較例を用いて説明をするための模式図である。
【図１２】本実施の形態に係る多目的トイレユニットにおける「馬乗り」動作を説明するための模式図である。
【図１３】本実施の形態に係る多目的トイレユニットにおける「のけぞり」動作を説明するための模式図である。
【図１４】本実施の形態に係る多目的トイレユニットにおける「ひねり」動作を説明するための模式図である。
【図１５】本実施の形態に係る多目的トイレユニットにおける「ひねり」動作を説明するための模式図である。
【図１６】本発明の他の実施の形態に係る多目的トイレユニットを例示するための模式斜視図である。
【符号の説明】
【０１３６】
１  多目的トイレユニット、２  便器、２ｂ  便座、３  背もたれ、４  跳ね上げ手すり、５  ライニング、５ａ  空間、６  ライニング、７  手洗い器、８  固定手すり、９  トイレットペーパーホルダー、１０  操作手段、１０ａ  非常呼び出し手段、１１  洗面器、１２  水栓、１３  鏡、１４  汚物流しユニット、３０  ボウル、３４  キャビネット、３５  鏡
【図１】
0005865574.tif 000002
【図２】
0005865574.tif 000003
【図３】
0005865574.tif 000004
【図４】
0005865574.tif 000005
【図５】
0005865574.tif 000006
【図６】
0005865574.tif 000007
【図７】
0005865574.tif 000008
【図８】
0005865574.tif 000009
【図９】
0005865574.tif 000010
【図１０】
0005865574.tif 000011
【図１１】
0005865574.tif 000012
【図１２】
0005865574.tif 000013
【図１３】
0005865574.tif 000014
【図１４】
0005865574.tif 000015
【図１５】
0005865574.tif 000016
【図１６】
0005865574.tif 000017